(57)【要約】【課題】過度の振動による記憶部の破壊を防止し、記憶部の振動により中断している処理に対して不要な処理の中止を少なくできる画像形成装置およびこれに用いる制御プログラムを提供する。【解決手段】読み取り手段（１０２）、記憶部（１０３）、印字手段（１０４）を備え、制御部（１０５）として読み取り制御部（５２）、記憶制御部（５３）、印字制御部（５４）を備える画像形成装置（１００）において、記憶部（１０３）の振動を検知する振動検知部（１５０）を備え、記憶制御部（５３）の機能として、記憶部（１０３）の振動が検知されたときに処理を中断する記憶処理中断機能（５３１）と、処理を中断した後に処理を中止するまでの時間を可変的に規定する中止時間設定機能（５３２）と、処理を中断した後に規定時間が経過したときに処理を中止する処理中止機能（５３３）と、を備えることを特徴とする。【選択図】図２
2015142211.tif 000002
【特許請求の範囲】
【請求項１】
記録媒体から画像データを読み取る読み取り手段と、前記読み取り手段により読み取った画像データを記憶する記憶部と、前記記憶部に記憶された画像データに基づき画像を印字する印字手段とを備え、各部動作を制御する制御部として、前記読み取り手段の動作処理を制御する読み取り制御部と、前記記憶部の動作処理を制御する記憶制御部と、前記印字手段の動作処理を制御する印字制御部と、を備える画像形成装置において、
前記記憶部の振動を検知する振動検知部を備え、
前記制御部の機能として、
前記振動検知部により前記記憶部の振動が検知されたときに、実行中の処理を中断する処理中断機能と、
前記振動検知部により前記記憶部の振動が検知されたときに、実行中の処理を中断した後に、その中断した処理を中止するまでの時間を前記記憶部の振動状況に応じて可変的に規定する中止時間設定機能と、
実行中の処理を中断した後に規定時間が経過したときに、中断した処理を中止する処理中止機能と、
を備えることを特徴とする画像形成装置。
【請求項２】
前記処理中断機能は、前記記憶制御部の機能として、実行中の前記記憶部による記憶処理を中断する記憶処理中断機能とし、
前記中止時間設定機能は、前記記憶制御部の機能として、実行中の前記記憶部による記憶処理を中断した後に、その中断した記憶処理を中止するまでの時間を前記記憶部の振動状況に応じて可変的に規定する記憶処理中止時間設定機能とし、
前記処理中止機能は、前記記憶制御部の機能として、実行中の前記記憶部による記憶処理を中断した後に規定時間が経過したときに、中断した記憶処理を中止する記憶処理中止機能とすることを特徴とする請求項１に記載の画像形成装置。
【請求項３】
前記処理中断機能は、前記印字制御部の機能として、実行中の前記印字手段による印字処理を中断する印字処理中断機能とし、
前記中止時間設定機能は、前記印字制御部の機能として、実行中の前記印字手段による印字処理を中断した後に、その中断した印字処理を中止するまでの時間を前記記憶部の振動状況に応じて可変的に規定する印字処理中止時間設定機能とし、
前記処理中止機能は、前記印字制御部の機能として、実行中の前記印字手段による印字処理を中断した後に規定時間が経過したときに、中断した印字処理を中止する印字処理中止機能とすることを特徴とする請求項１または２に記載の画像形成装置。
【請求項４】
前記中止時間設定機能は、中断した処理を中止させるまでの規定時間の変更に上限を設けることを特徴とする請求項１から３のうちの何れか一項に記載の画像形成装置。
【請求項５】
前記中止時間設定機能により中断した処理を中止させるまでの規定時間を変更する場合に、前記画像形成装置に警告表示を行う警告表示機能を備えることを特徴とする請求項１から４のうちの何れか一項に記載の画像形成装置。
【請求項６】
前記中止時間設定機能は、前記画像形成装置が待機中に、前記振動検知部により前記記憶部の振動が検知されたときは、処理を中止させるまでの規定時間を変更することを特徴とする請求項１から５のうちの何れか一項に記載の画像形成装置。
【請求項７】
記録媒体から画像データを読み取る読み取り手段と、前記読み取り手段の動作処理を制御する読み取り制御部と、前記読み取り手段により読み取った画像データを記憶する記憶部と、前記記憶部の動作処理を制御する記憶制御部と、前記記憶部に記憶された画像データに基づき画像を印字する印字手段と、前記印字手段の動作処理を制御する印字制御部と、を有する画像形成装置を動作させる制御プログラムであって、
前記制御部を、前記振動検知部により前記記憶部の振動が検知されたときに、実行中の処理を中断するように機能させ、また、前記振動検知部により前記記憶部の振動が検知されたときに、実行中の処理を中断した後に、その中断した処理を中止するまでの時間を前記記憶部の振動状況に応じて可変的に規定するように機能させ、また、実行中の処理を中断した後に規定時間が経過したときに、中断した処理を中止するように機能させることを特徴とする制御プログラム。
【発明の詳細な説明】
【技術分野】
【０００１】
本発明は、複写機やプリンタ、ファクシミリ等の画像形成装置およびこれに用いる制御プログラムに係り、特に、入力された画像データに基づいて画像を印字する画像形成装置およびこれに用いる制御プログラムに関する。
【背景技術】
【０００２】
従来の画像形成装置は、外部から与えられた衝撃等により記憶装置（例えば、ハードディスク装置）が過度に振動すると、記憶装置が稼働中の場合には、記憶装置を保護するために実行中の処理を中断するようにされている。
【０００３】
従来技術として、例えば、画像形成装置において、振動を検知すると、ハードディスク装置が稼働中である場合、ハードディスク装置の稼働を中断して磁気ヘッドを初期位置に退避させるようにしたものが提案されている（特許文献１を参照）。
【先行技術文献】
【特許文献】
【０００４】
【特許文献１】特開平０７−１３０１１５号公報
【発明の概要】
【発明が解決しようとする課題】
【０００５】
しかしながら、特許文献１に記載の技術によれば、ハードディスク装置の稼働を中断して実行中の処理が中断した場合は、中断している処理の強制終了までの時間が固定されているため、もう少し待てば処理が再開できそのまま完成させることができるような状況であっても、強制終了させてしまうことがあった。そのため、不要な強制終了が多くなり、処理の完成確率が低くなるという問題があった。
【０００６】
本発明は、上記従来の課題に鑑みてなされたものであり、画像形成装置において、衝撃や過度の振動等による記憶部の破壊を防止するとともに、記憶部の振動により中断している処理に対して不要な処理の中止を少なくできる画像形成装置およびこれに用いる制御プログラムを提供することを目的とする。
【課題を解決するための手段】
【０００７】
本発明は、記録媒体から画像データを読み取る読み取り手段と、前記読み取り手段により読み取った画像データを記憶する記憶部と、前記記憶部に記憶された画像データに基づき画像を印字する印字手段とを備え、各部動作を制御する制御部として、前記読み取り手段の動作処理を制御する読み取り制御部と、前記記憶部の動作処理を制御する記憶制御部と、前記印字手段の動作処理を制御する印字制御部と、を備える画像形成装置において、前記記憶部の振動を検知する振動検知部を備え、前記制御部の機能として、前記振動検知部により前記記憶部の振動が検知されたときに、実行中の処理を中断する処理中断機能と、前記振動検知部により前記記憶部の振動が検知されたときに、実行中の処理を中断した後に、その中断した処理を中止するまでの時間を前記記憶部の振動状況に応じて可変的に規定する中止時間設定機能と、実行中の処理を中断した後に規定時間が経過したときに、中断した処理を中止する処理中止機能と、を備えることを特徴とするものである。
なお、本発明において、記録媒体は、画像データを記録した可搬型記録媒体を含む。
【０００８】
また、本発明は、前記処理中断機能を、前記記憶制御部の機能として、実行中の前記記憶部による記憶処理を中断する記憶処理中断機能とし、前記中止時間設定機能を、前記記憶制御部の機能として、実行中の前記記憶部による記憶処理を中断した後に、その中断した記憶処理を中止するまでの時間を前記記憶部の振動状況に応じて可変的に規定する記憶処理中止時間設定機能とし、前記処理中止機能を、前記記憶制御部の機能として、実行中の前記記憶部による記憶処理を中断した後に規定時間が経過したときに、中断した記憶処理を中止する記憶処理中止機能とすることが好ましい。
【０００９】
また、本発明は、前記処理中断機能を、前記印字制御部の機能として、実行中の前記印字手段による印字処理を中断する印字処理中断機能とし、前記中止時間設定機能を、前記印字制御部の機能として、実行中の前記印字手段による印字処理を中断した後に、その中断した印字処理を中止するまでの時間を前記記憶部の振動状況に応じて可変的に規定する印字処理中止時間設定機能とし、前記処理中止機能を、前記印字制御部の機能として、実行中の前記印字手段による印字処理を中断した後に規定時間が経過したときに、中断した印字処理を中止する印字処理中止機能とすることが好ましい。
【００１０】
また、本発明は、前記中止時間設定機能において、中断した処理を中止させるまでの規定時間の変更に上限を設けることが好ましい。
【００１１】
また、本発明は、前記中止時間設定機能により中断した処理を中止させるまでの規定時間を変更する場合に、前記画像形成装置に警告表示を行う警告表示機能を備えることが好ましい。
【００１２】
また、本発明は、前記中止時間設定機能として、前記画像形成装置が待機中に、前記振動検知部により前記記憶部の振動が検知されたときは、処理を中止させるまでの規定時間を変更することが好ましい。
【００１３】
また、本発明は、記録媒体から画像データを読み取る読み取り手段と、前記読み取り手段の動作処理を制御する読み取り制御部と、前記読み取り手段により読み取った画像データを記憶する記憶部と、前記記憶部の動作処理を制御する記憶制御部と、前記記憶部に記憶された画像データに基づき画像を印字する印字手段と、前記印字手段の動作処理を制御する印字制御部と、を有する画像形成装置を動作させる制御プログラムであって、前記制御部を、前記振動検知部により前記記憶部の振動が検知されたときに、実行中の処理を中断するように機能させ、また、前記振動検知部により前記記憶部の振動が検知されたときに、実行中の処理を中断した後に、その中断した処理を中止するまでの時間を前記記憶部の振動状況に応じて可変的に規定するように機能させ、また、実行中の処理を中断した後に規定時間が経過したときに、中断した処理を中止するように機能させることを特徴とするものである。
【発明の効果】
【００１４】
本発明の画像形成装置によれば、記録媒体から画像データを読み取る読み取り手段と、前記読み取り手段により読み取った画像データを記憶する記憶部と、前記記憶部に記憶された画像データに基づき画像を印字する印字手段とを備え、各部動作を制御する制御部として、前記読み取り手段の動作処理を制御する読み取り制御部と、前記記憶部の動作処理を制御する記憶制御部と、前記印字手段の動作処理を制御する印字制御部と、を備える画像形成装置において、前記記憶部の振動を検知する振動検知部を備え、前記制御部の機能として、前記振動検知部により前記記憶部の振動が検知されたときに、実行中の処理を中断する処理中断機能と、前記振動検知部により前記記憶部の振動が検知されたときに、実行中の処理を中断した後に、その中断した処理を中止するまでの時間を前記記憶部の振動状況に応じて可変的に規定する中止時間設定機能と、実行中の処理を中断した後に規定時間が経過したときに、中断した処理を中止する処理中止機能と、を備えることで、外部からの衝撃や過度の振動等による記憶部の破壊を防止するとともに、前記記憶部の振動により中断している処理に対して不要な処理の中止を少なくできる。
【００１５】
また、本発明の制御プログラムによれば、記録媒体から画像データを読み取る読み取り手段と、前記読み取り手段の動作処理を制御する読み取り制御部と、前記読み取り手段により読み取った画像データを記憶する記憶部と、前記記憶部の動作処理を制御する記憶制御部と、前記記憶部に記憶された画像データに基づき画像を印字する印字手段と、前記印字手段の動作処理を制御する印字制御部と、を有する画像形成装置を動作させる制御プログラムであって、前記制御部を、前記振動検知部により前記記憶部の振動が検知されたときに、実行中の処理を中断するように機能させ、また、前記振動検知部により前記記憶部の振動が検知されたときに、実行中の処理を中断した後に、その中断した処理を中止するまでの時間を前記記憶部の振動状況に応じて可変的に規定するように機能させ、また、実行中の処理を中断した後に規定時間が経過したときに、中断した処理を中止するように機能させることで、外部からの衝撃や過度の振動等による記憶部の破壊を防止するとともに、前記記憶部の振動により中断している処理に対して不要な処理の中止を少なくできる画像形成装置を実現できる。
【図面の簡単な説明】
【００１６】
【図１】本発明の第１実施形態に係る画像形成装置の全体の構成を示す説明図である。
【図２】前記画像形成装置の電気的構成を示すブロック図である。
【図３】前記画像形成装置において画像データの読み込み処理を実行中に記憶部に過度の振動が生じた場合に画像データの読み込み処理を中断する工程を示すフローチャートである。
【図４】図３に示すフローチャートに続く画像読み込み処理中断中（規定時間経過前）のフローチャートである。
【図５】図４に示すフローチャートに続く画像読み込み処理中断中（規定時間経過後）のフローチャートである。
【図６】本発明の第２実施形態に係る画像形成装置の電気的構成を示すブロック図である。
【図７】前記画像形成装置において印字処理を実行中に記憶部に過度の振動が生じた場合に印字処理を中断する工程を示すフローチャートである。
【図８】図７に示すフローチャートに続く印字処理中断中（規定時間経過前）のフローチャートである。
【図９】図８に示すフローチャートに続く印字処理中断中（規定時間経過後）のフローチャートである。
【図１０】本発明の第３実施形態に係る画像形成装置の電気的構成を示すブロック図である。
【図１１】本発明の第４実施形態に係る画像形成装置の電気的構成を示すブロック図である。
【図１２】本発明の第５実施形態に係る画像形成装置の電気的構成を示すブロック図である。
【図１３】本発明の第６実施形態に係る画像形成装置の電気的構成を示すブロック図である。
【発明を実施するための形態】
【００１７】
（第１実施形態）
以下、本発明の第１実施形態について図面を参照して説明する。
図１は発明を実施する形態の一例であって、本発明の第１実施形態に係る画像形成装置の全体の構成を示す説明図、図２は前記画像形成装置の電気的構成を示すブロック図である。
【００１８】
本発明の第１実施形態は、図１，図２に示すように、読み取り手段１０２と、記憶部１０３と、印字手段１０４と、これらを制御する制御部１０５を備える画像形成装置１００であって、記憶部１０３に過度の振動が生じたときに、実行中の画像データを記憶する読み込み処理（記憶処理）を中断する処理を行うために、本発明に係る画像形成装置の特徴的な構成を備えるものである。
【００１９】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００２０】
まず、本発明の第１実施形態に係る画像形成装置１００の基本的な構成について説明する。
第１実施形態に係る画像形成装置１００は、図１，図２に示すように、主に、画像データを読み取る読み取り手段１０２、読み取り手段１０２により読み取った画像データを記憶する記憶部１０３、記憶部１０３に記憶された画像データに基づき画像を印字する印字手段１０４、制御部１０５、用紙を供給する給紙部１０６、画像データに基づき形成された画像を出力する画像出力手段１０７、排紙処理装置１０８、および、操作ユニット１２０を備える。
【００２１】
制御部１０５は、図２に示すように、読み取り手段１０２の動作処理を制御する読み取り制御部５２、記憶部１０３の動作処理を制御する記憶制御部５３、印字手段１０４の動作処理を制御する印字制御部５４を備えている。
【００２２】
排紙処理装置１０８は、複数の記録用紙を各排紙トレイ１１０に仕分けして排出する処理、各記録用紙にパンチングする処理、および各記録用紙にステープルする処理を施す。
例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット（図示省略）によるパンチング処理またはステープルユニット（図示省略）によるステープル処理を施して印刷物を作成する。
【００２３】
操作ユニット１２０は、図１に示すように、主にタッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。
【００２４】
このように画像形成装置１００は、主たる操作デバイスとしてタッチパネルディスプレイ１３０を備えるとともに、ハードウェアキーおよび表示灯により構成される表示操作部１４０を備える。
【００２５】
なお、画像形成装置１００は、このような構成の表示操作部１４０を備えるものに限定されず、タッチパネルディスプレイ１３０のみを備えるものであってもよい。
【００２６】
次に、第１実施形態の画像形成装置１００の特徴的な構成について図面を参照して説明する。
【００２７】
第１実施形態の画像形成装置１００は、上述した構成に加えて、図２に示すように、記憶部１０３の振動を検知する振動検知部１５０を備えている。
【００２８】
制御部１０５は、振動検知部１５０による検出結果に基づき、記憶部１０３が過度に振動したか否かを判断する記憶部振動判定部５５を備えている。
【００２９】
さらに、制御部１０５における特徴的な構成として、記憶制御部５３は、記憶処理中断機能（処理中断機能）５３１と、中止時間設定機能５３２と、処理中止機能５３３とを備えている。
【００３０】
記憶処理中断機能５３１は、記憶部１０３により読み取り手段１０２に読み取られた画像データを記憶する処理を実行中に、振動検知部１５０により記憶部１０３の振動が検知されたときに、記憶部１０３による記憶処理を中断するものである。
【００３１】
中止時間設定機能５３２は、実行中の記憶する処理を中断した後に中断した処理を中止するまでの時間を記憶部１０３の振動状況に応じて可変的に設定するものである。
【００３２】
処理中止機能５３３は、実行中の記憶する処理を中断した後に中止時間設定機能５３２により設定された時間が経過したときに中断した処理を中止するものである。
【００３３】
次に、第１実施形態の画像形成装置１００において、画像データを記憶する読み込み処理を実行中に記憶部１０３に過度の振動が生じた場合の特徴的な画像データの読み込み処理を中断する工程について、フローチャートに沿って説明する。
図３は第１実施形態の画像形成装置において画像データの読み込み処理を実行中に記憶部に過度の振動が生じた場合に画像データの読み込み処理を中断する工程を示すフローチャート、図４は図３に示すフローチャートに続く画像読み込み処理中断中（規定時間経過前）のフローチャート、図５は図４に示すフローチャートに続く画像読み込み処理中断中（規定時間経過後）のフローチャートである。
【００３４】
第１実施形態では、画像形成装置１００において、記憶処理中断機能５３１により画像データの読み込みが中断している時間が規定時間以上続いた場合は、処理中止機能５３３により画像データの読み込み処理を強制終了するようにされている。
【００３５】
なお、画像データの読み込み処理を強制終了するまでの規定時間は、中止時間設定機能５３２により画像形成装置１００の過度の振動により中断している時間をサンプリングして、サンプリングした結果に基づき設定するようにしている。
【００３６】
例えば、現時点での読み込み処理の強制停止までの時間を現在の「規定時間Ａ＋α（％）」とする。ある時点で、画像形成装置１００（もしくは記憶部１０３）の振動時間が現在の「規定時間Ａ」以上になった場合、前記振動時間が、現在の「規定時間Ａ＋α（％）」以内の時間であれば、現在に規定時間を今回検知した「振動時間Ｂ」に更新する。
【００３７】
次の処理以降は、処理の強制停止までの時間を、現在の「規定時間Ｂ＋α（％）」に設定する。以後、振動時間が規定時間以上になっても、「規定時間＋α（％）」以内であれば、規定時間をその都度更新していくものとする。
【００３８】
まず、第１実施形態の画像形成装置１００において、読み取り手段１０２により読み取られた画像データの読み込み処理が開始されると、図３に示すように、振動検知部１５０の検出結果に基づき記憶部振動判定部５５により画像形成装置１００あるいは記憶部１０３が振動することによる振動検知の有無が判断される（ステップＳ１０１）。
【００３９】
ステップＳ１０１において、記憶部振動判定部５５により振動検知が有ると判断された場合は、記憶処理中断機能５３１により画像データの読み込み処理を中断する（ステップＳ１０２）。そして、図４に示すように、ステップＳ１１１に進み、振動検知部１５０の検出結果に基づき記憶部振動判定部５５により振動検知の有無が判断される。
【００４０】
ステップＳ１１１において、記憶部振動判定部５５により振動検知が無いと判断された場合は、画像データの読み込み処理を再開する（ステップＳ１１２）。そして、図３に示すように、ステップＳ１０１に進む。
【００４１】
一方、ステップＳ１１１において、記憶部振動判定部５５により振動検知が有ると判断された場合は、ステップＳ１１３に進み、画像データの読み込み処理が中断されてから規定時間以上経過したか否かが判断される。
【００４２】
ステップＳ１１３において、画像データの読み込み処理が中断されてから規定時間以上経過していないと判断された場合は、ステップＳ１１１に戻る。
【００４３】
一方、ステップＳ１１３において、画像データの読み込み処理が中断されてから規定時間以上経過したと判断された場合は、図５に示すように、ステップＳ１２１に進む。
【００４４】
ステップＳ１２１では、振動検知部１５０の検出結果に基づき記憶部振動判定部５５により振動検知の有無が判断される。
【００４５】
ステップＳ１２１において、記憶部振動判定部５５により振動検知が無いと判断された場合は、画像データの読み込み処理を再開して（ステップＳ１２２）、中止時間設定機能５３２により画像データの読み込み処理を中断する規定時間を更新する（ステップＳ１２３）。そして、図３に示すように、ステップＳ１０１に進む。
【００４６】
一方、ステップ１２１において、記憶部振動判定部５５により振動検知が有ると判断された場合は、ステップＳ１２４に進み、画像データの読み込み処理が中断されてから規定時間をα（％）経過したか否かが判断される。
【００４７】
ステップＳ１２４において、画像データの読み込み処理が中断されてから規定時間をα（％）経過していないと判断された場合は、ステップＳ１２１に戻る。
【００４８】
一方、ステップＳ１２４において、画像データの読み込み処理が中断されてから規定時間をα（％）経過していると判断された場合は、画像データの読み込み処理の工程は終了する。
【００４９】
ここで、ステップＳ１０１の説明に戻る。
ステップＳ１０１において、記憶部振動判定部５５により振動検知が無いと判断された場合は、ステップＳ１０３に進み、画像データの読み込みが終了したか否かが判断される。
【００５０】
ステップＳ１０３において、画像データの読み込みが終了していないと判断された場合は、ステップＳ１０１に戻る。
【００５１】
一方、ステップＳ１０３において、画像データの読み込みが終了したと判断された場合は、画像データの読み込み処理の工程は終了する。
【００５２】
以上のように構成したので、第１実施形態によれば、画像データを読み取る読み取り手段１０２、読み取り手段１０２により読み取った画像データを記憶する記憶部１０３、記憶部１０３に記憶された画像データに基づき画像を印字する印字手段１０４を備え、各部動作を制御する制御部１０５として、読み取り制御部５２、記憶制御部５３、印字制御部５４を備える画像形成装置１００において、記憶部１０３の振動を検知する振動検知部１５０を備え、制御部１０５の特徴的な構成として、記憶制御部５３の機能として、記憶処理中断機能５３１、中止時間設定機能５３２、処理中止機能５３３を備えることで、記憶処理中断機能５３１により記憶部１０３が過度の振動等により破壊することを防止するとともに、中止時間設定機能５３２により中断している処理を中止する時間を設定できるので、処理中止機能５３３により記憶部１０３の振動により中断している処理に対して不要な処理の中止（強制終了）を少なくできる。これにより、効率良く画像形成装置１００を稼働させることができる。
【００５３】
（第２実施形態）
次に、本発明の第２実施形態について説明する。
図６は本発明の第２実施形態に係る画像形成装置の電気的構成を示すブロック図である。
【００５４】
なお、第２実施形態に係る画像形成装置２００において、第１実施形態の画像形成装置１００の構成と同様な構成を有するものは同一の符号を付することで説明を省略する。
【００５５】
本発明の第２実施形態は、図６に示すように、読み取り手段１０２と、記憶部１０３と、印字手段１０４と、これらを制御する制御部２０５を備える画像形成装置２００であって、記憶部１０３に過度の振動が生じたときに、実行中の印字処理を中断する処理を行うために、本発明に係る画像形成装置の特徴的な構成を備えるものである。
【００５６】
第２実施形態の画像形成装置２００は、図６に示すように、上述した第１実施形態の画像形成装置１００と同様に、基本的な構成に加えて、記憶部１０３の振動を検知する振動検知部１５０を備えている。
【００５７】
制御部２０５は、振動検知部１５０による検出結果に基づき、記憶部１０３が過度に振動したか否かを判断する記憶部振動判定部５５を備えている。
【００５８】
そして、制御部２０５における特徴的な構成として、印字制御部５４は、印字処理中断機能（処理中断機能）５４１と、中止時間設定機能５４２と、処理中止機能５４３とを備えている。
【００５９】
印字処理中断機能５４１は、印字手段１０４により記憶部１０３に記憶された画像データに基づく画像を印字する処理を実行中に、振動検知部１５０により記憶部１０３の振動が検知されたときに、印字手段１０４による印字処理を中断するものである。
【００６０】
中止時間設定機能５４２は、実行中の印字処理を中断した後に中断した処理を中止するまでの時間を記憶部１０３の振動状況に応じて可変的に設定するものである。
【００６１】
処理中止機能５４３は、実行中の印字処理を中断した後に中止時間設定機能５４２により設定された時間が経過したときに中断した処理を中止するものである。
【００６２】
次に、第２実施形態の画像形成装置２００において、印字処理を実行中に記憶部１０３に過度の振動が生じた場合の特徴的な印字処理を中断する工程について、フローチャートに沿って説明する。
図７は第２実施形態の画像形成装置において印字処理を実行中に記憶部に過度の振動が生じた場合に印字処理を中断する工程を示すフローチャート、図８は図７に示すフローチャートに続く印字処理中断中（規定時間経過前）のフローチャート、図９は図８に示すフローチャートに続く印字処理中断中（規定時間経過後）のフローチャートである。
【００６３】
第２実施形態では、画像形成装置２００において、印字処理中断機能５４１により画像の印字を中断している時間が規定時間以上続いた場合は、処理中止機能５４３により画像の印字を強制終了するようにされている。
【００６４】
なお、印字を強制終了するまでの規定時間は、中止時間設定機能５４２により画像形成装置２００の過度の振動により中断している時間をサンプリングして、サンプリングした結果に基づき設定するようにしている。
【００６５】
例えば、現時点での印字処理の強制停止までの時間を現在の「規定時間Ａ＋α（％）」とする。ある時点で、画像形成装置２００（もしくは記憶部１０３）の振動時間が現在の「規定時間Ａ」以上になった場合、前記振動時間が、現在の「規定時間Ａ＋α（％）」以内の時間であれば、現在に規定時間を今回検知した「振動時間Ｂ」に更新する。
【００６６】
次の処理以降は、処理の強制停止までの時間を、現在の「規定時間Ｂ＋α（％）」に設定する。以後、振動時間が規定時間以上になっても、「規定時間＋α（％）」以内であれば、規定時間をその都度更新していくものとする。
【００６７】
まず、第２実施形態の画像形成装置２００において、印字手段１０４により画像の印字処理が開始されると、図７に示すように、振動検知部１５０の検出結果に基づき記憶部振動判定部５５により画像形成装置２００あるいは記憶部１０３が振動することによる振動検知の有無が判断される（ステップＳ２０１）。
【００６８】
ステップＳ２０１において、記憶部振動判定部５５により振動検知が有ると判断された場合は、印字処理中断機能５４１により画像の印字処理を中断する（ステップＳ２０２）。そして、図８に示すように、ステップＳ２１１に進み、振動検知部１５０の検出結果に基づき記憶部振動判定部５５により振動検知の有無が判断される。
【００６９】
ステップＳ２１１において、記憶部振動判定部５５により振動検知が無いと判断された場合は、画像の印字処理を再開する（ステップＳ２１２）。そして、図７に示すように、ステップＳ２０１に進む。
【００７０】
一方、ステップＳ２１１において、記憶部振動判定部５５により振動検知が有ると判断された場合は、ステップＳ２１３に進み、画像の印字処理が中断されてから規定時間以上経過したか否かが判断される。
【００７１】
ステップＳ２１３において、画像の印字処理が中断されてから規定時間以上経過していないと判断された場合は、ステップＳ２１１に戻る。
【００７２】
一方、ステップＳ２１３において、画像データの読み込み処理が中断されてから規定時間以上経過したと判断された場合は、図９に示すように、ステップＳ２２１に進む。
【００７３】
ステップＳ２２１では、振動検知部１５０の検出結果に基づき記憶部振動判定部５５により振動検知の有無が判断される。
【００７４】
ステップＳ２２１において、記憶部振動判定部５５により振動検知が無いと判断された場合は、画像の印字処理を再開して（ステップＳ２２２）、中止時間設定機能５４２により画像の印字処理を中断する規定時間を更新する（ステップＳ２２３）。そして、図７に示すように、ステップＳ２０１に進む。
【００７５】
一方、ステップＳ２２１において、記憶部振動判定部５５により振動検知が有ると判断された場合は、ステップＳ２２４に進み、画像の印字処理が中断されてから規定時間をα（％）経過したか否かが判断される。
【００７６】
ステップＳ２２４において、画像の印字処理が中断されてから規定時間をα（％）経過していないと判断された場合は、ステップＳ２２１に戻る。
【００７７】
一方、ステップＳ２２４において、画像の印字処理が中断されてから規定時間をα（％）経過していると判断された場合は、画像の印字処理の工程は終了する。
【００７８】
ここで、ステップＳ２０１の説明に戻る。
ステップＳ２０１において、記憶部振動判定部５５により振動検知が無いと判断された場合は、ステップＳ２０３に進み、画像の印字が終了したか否かが判断される。
【００７９】
ステップＳ２０３において、画像の印字が終了していないと判断された場合は、ステップＳ２０１に戻る。
【００８０】
一方、ステップＳ２０３において、画像の印字が終了したと判断された場合は、画像の印字処理の工程は終了する。
【００８１】
以上のように構成したので、第２実施形態によれば、画像データを読み取る読み取り手段１０２、読み取り手段１０２により読み取った画像データを記憶する記憶部１０３、記憶部１０３に記憶された画像データに基づき画像を印字する印字手段１０４を備え、各部動作を制御する制御部２０５として、読み取り制御部５２、記憶制御部５３、印字制御部５４を備える画像形成装置２００において、記憶部１０３の振動を検知する振動検知部１５０を備え、制御部２０５の特徴的な構成として、印字制御部５４の機能として、印字処理中断機能５４１、中止時間設定機能５４２、処理中止機能５４３を備えることで、印字処理中断機能５４１により記憶部１０３が過度の振動等により破壊することを防止するとともに、中止時間設定機能５４２により中断している処理を中止する時間を設定できるので、処理中止機能５４３により記憶部１０３の振動により中断している処理に対して不要な処理の中止（強制終了）を少なくできる。これにより、効率良く画像形成装置２００を稼働させることができる。
【００８２】
（第３実施形態）
次に、本発明の第３実施形態について説明する。
図１０は本発明の第３実施形態に係る画像形成装置の電気的構成を示すブロック図である。
【００８３】
なお、第３実施形態に係る画像形成装置３００において、第１実施形態の画像形成装置１００および第２実施形態の画像形成装置２００の構成と同様な構成を有するものは同一の符号を付することで説明を省略する。
【００８４】
本発明の第３実施形態は、図１０に示すように、読み取り手段１０２と、記憶部１０３と、印字手段１０４と、これらを制御する制御部３０５を備える画像形成装置３００であって、記憶部１０３に過度の振動が生じたときに、実行中の画像データを記憶する読み込み処理と印字処理を中断する処理を行うために、本発明に係る画像形成装置の特徴的な構成を備えるものである。
【００８５】
第３実施形態の画像形成装置３００は、図１０に示すように、上述した第１実施形態の画像形成装置１００および第２実施形態の画像形成装置２００と同様に、基本的な構成に加えて、記憶部１０３の振動を検知する振動検知部１５０を備えている。
【００８６】
制御部３０５は、振動検知部１５０による検出結果に基づき、記憶部１０３が過度に振動したか否かを判断する記憶部振動判定部５５を備えている。
【００８７】
そして、制御部３０５における特徴的な構成として、記憶制御部５３は、記憶処理中断機能５３１と、中止時間設定機能５３２と、処理中止機能５３３とを備え、印字制御部５４は、印字処理中断機能５４１と、中止時間設定機能５４２と、処理中止機能５４３とを備えている。
【００８８】
第３実施形態の画像形成装置３００において、画像データを読み込む処理や印字処理を実行中に記憶部１０３に過度の振動が生じた場合の実行中の処理を中断する工程については、上述した第１実施形態および第２実施形態における読み込み処理および印字処理を中断する工程についての説明およびフローチャートを参照するものとする。
【００８９】
以上のように構成したので、第３実施形態によれば、画像データを読み取る読み取り手段１０２、読み取り手段１０２により読み取った画像データを記憶する記憶部１０３、記憶部１０３に記憶された画像データに基づき画像を印字する印字手段１０４を備え、各部動作を制御する制御部３０５として、読み取り制御部５２、記憶制御部５３、印字制御部５４を備える画像形成装置３００において、記憶部１０３の振動を検知する振動検知部１５０を備え、制御部３０５の特徴的な構成として、記憶制御部５３の機能として、記憶処理中断機能５３１、中止時間設定機能５３２、処理中止機能５３３を備え、印字制御部５４の機能として、印字処理中断機能５４１、中止時間設定機能５４２、処理中止機能５４３を備えることで、記憶処理中断機能５３１および印字処理中断機能５４１により記憶部１０３が過度の振動等により破壊されることを防止するとともに、中止時間設定機能５３２，５４２により中断している処理を中止する時間を設定できるので、処理中止機能５３３，５４３により記憶部１０３の振動により中断している処理に対して不要な処理の中止（強制終了）を少なくできる。これにより、効率良く画像形成装置３００を稼働させることができる。
【００９０】
（第４実施形態）
次に、本発明の第４実施形態について説明する。
図１１は本発明の第４実施形態に係る画像形成装置の電気的構成を示すブロック図である。
【００９１】
なお、第４実施形態に係る画像形成装置４００において、第３実施形態の画像形成装置３００の構成と同様な構成を有するものは同一の符号を付することで説明を省略する。
【００９２】
本発明の第４実施形態は、図１１に示すように、読み取り手段１０２と、記憶部１０３と、印字手段１０４と、これらを制御する制御部４０５を備える画像形成装置４００であって、記憶部１０３に過度の振動が生じたときに、実行中の印字処理を中断する処理を行うために、本発明に係る画像形成装置の特徴的な構成を備えるものである。
【００９３】
第４実施形態の画像形成装置４００は、図１１に示すように、上述した第３実施形態の画像形成装置３００と同様に、基本的な構成に加えて、記憶部１０３の振動を検知する振動検知部１５０を備えている。
【００９４】
制御部４０５は、振動検知部１５０による検出結果に基づき、記憶部１０３が過度に振動したか否かを判断する記憶部振動判定部５５を備えている。
【００９５】
そして、制御部４０５における特徴的な構成として、記憶制御部５３は、記憶処理中断機能５３１と、中止時間設定機能５３２と、処理中止機能５３３とを備え、印字制御部５４は、印字処理中断機能５４１と、中止時間設定機能５４２と、処理中止機能５４３とを備えている。
【００９６】
さらに、記憶制御部５３および印字制御部５４における中止時間設定機能５３２，５４２には、中断した処理を中止させるまでの規定時間を変更する時の上限値を定める上限値設定機能５３２ａ，５４２ａを備えている。
【００９７】
例えば、印字中止の規定時間の上限時間を６０（秒）と設定して、印字中止の規定時間を更新するときに、規定時間が上限時間を超えているかどうか判断し、超える場合は画像形成装置４００の表示パネル１３２にエラー表示を行い、画像データの印字処理を強制終了する。
【００９８】
以上のように構成したので、第４実施形態によれば、中止時間設定機能５３２，５４２に、中断した処理を中止させるまでの規定時間を変更する時の上限値を定める機能を備えることで、中止時間を無用に長くすることなく、最適なタイミングで中断している処理を中止することができるので、効率良く画像形成装置４００を稼働させることができる。
【００９９】
（第５実施形態）
次に、本発明の第５実施形態について説明する。
図１２は本発明の第５実施形態に係る画像形成装置の電気的構成を示すブロック図である。
【０１００】
なお、第５実施形態に係る画像形成装置５００において、第３実施形態の画像形成装置３００の構成と同様な構成を有するものは同一の符号を付することで説明を省略する。
【０１０１】
本発明の第５実施形態は、図１２に示すように、読み取り手段１０２と、記憶部１０３と、印字手段１０４と、これらを制御する制御部５０５を備える画像形成装置５００であって、記憶部１０３に過度の振動が生じたときに、実行中の印字処理を中断する処理を行うために、本発明に係る画像形成装置の特徴的な構成を備えるものである。
【０１０２】
第５実施形態の画像形成装置５００は、図１２に示すように、上述した第３実施形態の画像形成装置３００と同様に、基本的な構成に加えて、記憶部１０３の振動を検知する振動検知部１５０を備えている。
【０１０３】
制御部５０５は、振動検知部１５０による検出結果に基づき、記憶部１０３が過度に振動したか否かを判断する記憶部振動判定部５５を備えている。
【０１０４】
そして、制御部５０５における特徴的な構成として、記憶制御部５３は、記憶処理中断機能５３１と、中止時間設定機能５３２と、処理中止機能５３３とを備え、印字制御部５４は、印字処理中断機能５４１と、中止時間設定機能５４２と、処理中止機能５４３とを備えている。
【０１０５】
さらに、制御部５０５は、中止時間設定機能５３２，５４２により中断した処理を中止させるまでの規定時間を変更する場合に、画像形成装置５００の表示パネル１３２に警告表示を行う警告表示機能５６を備えている。
【０１０６】
これにより、画像形成装置５００の記憶部１０３に振動が生じて実行中の処理が中止される状態にあることを、表示パネル１３２に警告表示することができる。
【０１０７】
以上のように構成したので、第５実施形態によれば、画像形成装置５００の制御部５０５に警告表示機能５６を備えることで、画像形成装置５００の記憶部１０３に振動が生じて実行中の処理が中止される状態にあることを、表示パネル１３２に警告表示することで、迅速に画像形成装置５００の使用者に報知することができる。
【０１０８】
なお、警告表示機能５６は、通信回線を利用して画像形成装置５００に接続されるサービスエンター等の端末に通知するようにしてもよい。
【０１０９】
例えば、画像形成装置がコンビニエンスストア等の店舗に設置されている場合、設置位置の関係で画像形成装置と冷蔵庫と接触していると、冷蔵庫のコンプレッサが動作するときの振動が画像形成装置の振動の原因である可能性がある。そこで、サービスセンターから画像形成装置と冷蔵庫が接触しないよう設置位置をずらす（隙間をあける）ように利用者やサービスマンに設置環境の改善を促すことができる。
【０１１０】
（第６実施形態）
次に、本発明の第６実施形態について説明する。
図１３は本発明の第６実施形態に係る画像形成装置の電気的構成を示すブロック図である。
【０１１１】
なお、第６実施形態に係る画像形成装置６００において、第３実施形態の画像形成装置３００の構成と同様な構成を有するものは同一の符号を付することで説明を省略する。
【０１１２】
第６実施形態の画像形成装置６００は、図１３に示すように、第３実施形態の画像形成装置３００の構成に加えて、制御部６０５において、記憶制御部５３および印字制御部５４の構成として、中止時間設定機能５３２，５４２に、画像形成装置６００が待機中に振動検知部１５０により記憶部１０３の振動が検知されたときは、画像形成装置６００が待機中に中断されている処理を中止させるまでの規定時間を変更する待機中設定機能５３２ｂ，５４２ｂを備えるものである。
【０１１３】
このように構成することで、第３実施形態では、読み込み処理や印字処理を実行中に振動検知部１５０により記憶部１０３の振動検知をしているが、第６実施形態によれば、画像形成装置６００が読み込み処理や印字処理を行っていない待機中に記憶部１０３の振動を検知したときには、画像形成装置６００が待機中に読み込み処理や印字処理を中止させるまでの規定時間を更新することができる。
【０１１４】
具体的には、画像形成装置が待機中に記憶部１０３の振動を検知したら、振動の継続している時間を測定し、振動継続時間の平均値または最大値に＋α（％）の時間を設定する。
【０１１５】
以上の様に構成したので、第６実施形態によれば、中止時間設定機能５３２，５４２に、待機中設定機能５３２ｂ，５４２ｂを備えることで、画像形成装置６００が待機中に振動検知部１５０により記憶部１０３の振動が検知されたときは、画像形成装置６００が待機中に読み込み処理や印字処理を中止させるまでの規定時間を変更することができるので、画像形成装置６００の稼働状況に影響されることなく規定時間の設定を行うことができる。
【０１１６】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１１７】
５２  読み取り制御部
５３  記憶制御部
５４  印字制御部
５５  記憶部振動判定部
５６  警告表示機能
１００，２００，３００，４００，５００，６００  画像形成装置
１０２  読み取り手段
１０３  記憶部
１０４  印字手段
１０５，２０５，３０５，４０５，５０５，６０５  制御部
１２０  操作ユニット
１３２  表示パネル
１５０  振動検知部
５３１  記憶処理中断機能（処理中断機能）
５３２，５４２  中止時間設定機能
５３２ａ，５４２ａ  上限値設定機能
５３２ｂ，５４２ｂ  待機中設定機能
５３３，５４３  処理中止機能
５４１  印字処理中断機能（処理中断機能）
【図１】
2015142211.tif 000003
【図２】
2015142211.tif 000004
【図３】
2015142211.tif 000005
【図４】
2015142211.tif 000006
【図５】
2015142211.tif 000007
【図６】
2015142211.tif 000008
【図７】
2015142211.tif 000009
【図８】
2015142211.tif 000010
【図９】
2015142211.tif 000011
【図１０】
2015142211.tif 000012
【図１１】
2015142211.tif 000013
【図１２】
2015142211.tif 000014
【図１３】
2015142211.tif 000015